(57)【要約】【課題】  屋根梁上に屋根パネルを仮置きできる屋根パネルの取付構造を提供する。【解決手段】  垂木状の下地材２の上面に野地板３を添着した屋根パネル１における下地材２の側面に沿わせて取付板４を取付けてこの取付板４の下端を下地材２の下方に突出させる。上下のフランジ７同士をウェブ８で連結した型材から成る屋根梁６にその水上側から取付板４を引っ掛けて屋根パネル１を屋根梁６上に載置する。取付板４の水上側から水下側に向けて水平スリット９を設ける。水平板状の引掛け板１４の水下側から水上側に向けて垂直な切込み１７を設ける。水平スリット９に切込み１７を挿入結合させて取付板４に引掛け板１４を略直交するように組み付ける。引掛け板１４の水下側の先端上面を屋根梁６の上フランジ７ａの水上側の下面に当接させ、下地材２と引掛け板１４とで屋根梁６を上下に挟持して屋根パネル１を屋根梁６に固定する。【選択図】        図１
2005097921.tif 000002
【特許請求の範囲】
【請求項１】
垂木状の下地材の上面に野地板を添着した屋根パネルにおける下地材の側面に沿わせて取付板を取付けてこの取付板の下端を下地材の下方に突出し、上下のフランジ同士をウェブで連結した型材から成る屋根梁にその水上側から取付板を引っ掛けて屋根パネルを屋根梁上に載置し、取付板の水上側から水下側に向けて水平スリットを設け、水平板状の引掛け板の水下側から水上側に向けて垂直な切込みを設け、水平スリットに切込みを挿入結合させて取付板に引掛け板を略直交するように組み付け、引掛け板の水下側の先端上面を屋根梁の上フランジの水上側の下面に当接し、下地材と引掛け板とで屋根梁を上下に挟持して屋根パネルを屋根梁に固定したことを特徴とする屋根パネルの取付構造。
【請求項２】
下地材に取付板を一本の枢支用ボルトにて装着し、枢支用ボルトを緩めたとき取付板が下地材に対して上下に回転自在になるようにし、この取付板に貫通孔を穿孔すると共に、取付板を垂直方向に向けたとき貫通孔が連通する連通孔を下地材に穿孔し、固定用ボルトを連通した貫通孔及び連通孔に挿入締結させて下地材に取付板を固定したことを特徴とする請求項１記載の屋根パネルの取付構造。
【発明の詳細な説明】
【技術分野】
【０００１】
本発明は、屋根パネルを屋根梁に取り付ける取付構造に関するものである。
【背景技術】
【０００２】
従来から、垂木状の下地材２の上面に野地板３を添着した屋根パネル１をＩ形鋼などで構成される屋根梁６に取り付けるには、図８のように、屋根パネル１の下地材２の側面に沿わせて縦板状の取付板４´を上下に回転自在に取り付け、取付板４´の水下側から水上側に向けて切り込んだ水平スリット９´に屋根梁６の上フランジ７ａを挿入させて屋根パネル１を屋根梁６に載置し、その後、取付板４´を屋根パネル１に対して回転不能に固定したことで行われている（たとえば、特許文献１参照）。
【０００３】
この屋根パネル１の取付構造では、水平スリット９´に屋根梁６の上フランジ７ａを挿入させて屋根梁６に屋根パネル１を固定しない限り、屋根梁６上の適宜位置に屋根パネル１を配置できないのであり、つまり屋根梁６上に屋根パネル１を仮置きすることはできないものであった。したがって、屋根パネル１を適宜位置に配置するには、クレーンで吊った屋根パネル１の軒棟方向及びケラバ方向の両方向同時の位置合わせが必要であって、屋根パネル１の位置決め作業が困難であった。しかも、屋根パネル１の配置ミスが生じた場合にはすでに屋根パネル１は屋根梁６に固定された状態であるので、屋根パネル１の再配置にはかなりの労力を要することとなる。また、クレーンで吊り下げた状態の屋根パネル１を適宜位置に位置合わせをしつつ屋根梁６に取付けるように行われる屋根パネル１の屋根梁６ヘの取付け作業には、屋根パネル１をクレーンで吊り下げる作業を行う施工者、屋根パネル１を持って位置決め作業を行う施工者及び、屋根パネル１の屋根梁６への固定作業を行う施工者といった多数の施工者が同時に必要でそのため施工作業が煩雑になってしまうものであり、施工の簡略化が望まれていた。
【特許文献１】特開平１０−１３１３７８号公報
【発明の開示】
【発明が解決しようとする課題】
【０００４】
本発明は上記の従来の問題点に鑑みて発明したものであって、屋根パネルの位置決め施工の容易化及び、屋根パネルの屋根梁への固定施工に同時に必要な施工者数を減らして施工の簡略化を図るべく、屋根梁上に屋根パネルを仮置きできる屋根パネルの取付構造を提供することを課題とするものである。
【課題を解決するための手段】
【０００５】
上記課題を解決するために本発明に係る屋根パネルの取付構造は、垂木状の下地材２の上面に野地板３を添着した屋根パネル１における下地材２の側面に沿わせて取付板４を取付けてこの取付板４の下端を下地材２の下方に突出し、上下のフランジ７同士をウェブ８で連結した型材から成る屋根梁６にその水上側から取付板４を引っ掛けて屋根パネル１を屋根梁６上に載置し、取付板４の水上側から水下側に向けて水平スリット９を設け、水平板状の引掛け板１４の水下側から水上側に向けて垂直な切込み１７を設け、水平スリット９に切込み１７を挿入結合させて取付板４に引掛け板１４を略直交するように組み付け、引掛け板１４の水下側の先端上面を屋根梁６の上フランジ７ａの水上側の下面に当接し、下地材２と引掛け板１４とで屋根梁６を上下に挟持して屋根パネル１を屋根梁６に固定したことを特徴とする。
【０００６】
これによると、垂木状の下地材２の上面に野地板３を添着した屋根パネル１における下地材２の側面に沿わせて取付板４を取付けてこの取付板４の下端を下地材２の下方に突出し、上下のフランジ７同士をウェブ８で連結した型材から成る屋根梁６にその水上側から取付板４を引っ掛けて屋根パネル１を屋根梁６上に載置したので、軒棟方向の適宜位置に位置合わせがされた状態で屋根パネル１を屋根梁６上に仮置きできるのであり、つまり屋根パネル１の適宜位置への位置決め作業は軒棟方向を気にせずにケラバ方向のみを注意して行うようにでき、屋根パネル１の適宜位置への位置決め施工の容易化が図られているのであり、また、屋根パネル１を仮置きした後には、取付板４の水上側から水下側に向けて水平スリット９を設け、水平板状の引掛け板１４の水下側から水上側に向けて垂直な切込み１７を設け、水平スリット９に切込み１７を挿入結合させて取付板４に引掛け板１４を略直交するように組み付け、引掛け板１４の水下側の先端上面を屋根梁６の上フランジ７ａの水上側の下面に当接し、下地材２と引掛け板１４とで屋根梁６を上下に挟持して屋根パネル１を屋根梁６に固定したので、クレーンでの吊り下げを伴わず位置決めも既になされた仮置き状態の屋根パネル１を屋根梁６に固定できるのであり、つまり屋根パネル１の位置決めと屋根パネル１の屋根梁６への固定とのタイミングをずらすことができるから、屋根パネル１の屋根梁６への取付け施工時に同時に必要な施工者数を減らすことができ、施工の簡略化が図られている。
【０００７】
また、下地材２に取付板４を一本の枢支用ボルト５にて装着し、枢支用ボルト５を緩めたとき取付板４が下地材２に対して上下に回転自在になるようにし、この取付板４に貫通孔１０を穿孔すると共に、取付板４を鉛直方向に垂下させたとき貫通孔１０が連通する連通孔１１を下地材２に穿孔し、固定用ボルト１２を連通した貫通孔１０及び連通孔１１に挿入締結させて下地材２に取付板４を固定したことも好ましい。
【０００８】
これによると、下地材２に取付板４を一本の枢支用ボルト５にて装着し、枢支用ボルト５を緩めたとき取付板４が下地材２に対して上下に回転自在になるようにしたので、あらかじめ取付板４を取付けた屋根パネル１にあって取付板４全体を下地材２の側面に沿わせて取付板４を下地材２より下方に突出させない収納状態にでき、屋根パネル１の倉庫への収納時や搬送時に屋根パネル１同士を積載させることができて便利であり、また、取付板４に貫通孔１０を穿孔すると共に、取付板４を鉛直方向に垂下させたとき貫通孔１０が連通する連通孔１１を下地材２に穿孔し、固定用ボルト１２を連通した貫通孔１０及び連通孔１１に挿入締結させて下地２に取付板４を固定したので、屋根パネル１の屋根梁６への取付け施工時に、簡単且つ確実に所定方向に向けて取付板４を屋根パネル１に固定することができる。
【発明の効果】
【０００９】
本発明の請求項１記載の屋根パネルの取付構造は、垂木状の下地材の上面に野地板を添着した屋根パネルにおける下地材の側面に沿わせて取付板を取付けてこの取付板の下端を下地材の下方に突出し、上下のフランジ同士をウェブで連結した型材から成る屋根梁にその水上側から取付板を引っ掛けて屋根パネルを屋根梁上に載置したので、軒棟方向の適宜位置に位置合わせがされた状態で屋根パネルを屋根梁上に仮置きできるのであり、つまり屋根パネルの適宜位置への位置決め作業は軒棟方向を気にせずにケラバ方向のみを注意して行うようにでき、屋根パネルの適宜位置への位置決め施工の容易化が図られているのであり、また、取付板の水上側から水下側に向けて水平スリットを設け、水平板状の引掛け板の水下側から水上側に向けて垂直な切込みを設け、水平スリットに切込みを挿入結合させて取付板に引掛け板を略直交するように組み付け、引掛け板の水下側の先端上面を屋根梁の上フランジの水上側の下面に当接し、下地材と引掛け板とで屋根梁を上下に挟持して屋根パネルを屋根梁に固定したので、クレーンでの吊り下げを伴わず位置決めも既になされた仮置き状態の屋根パネルを屋根梁に固定できるのであり、つまり屋根パネルの位置決めと屋根パネルの屋根梁への固定とのタイミングをずらすことができるから、屋根パネルの屋根梁への取付け施工時に同時に必要な施工者数を減らすことができ、施工の簡略化が図られている。
【００１０】
また、請求項２記載の屋根パネルの取付構造は、請求項１の効果に加え、下地材に取付板を一本の枢支用ボルトにて装着し、枢支用ボルトを緩めたとき取付板が下地材に対して上下に回転自在になるようにしたので、あらかじめ取付板を取付けた屋根パネルにあって取付板全体を下地材の側面に沿わせて取付板を下地材より下方に突出させない収納状態にでき、屋根パネルの倉庫への収納時や搬送時に屋根パネル同士を積載させることができて便利であり、また、この取付板に貫通孔を穿孔すると共に、取付板を鉛直方向に垂下させたとき貫通孔が連通する連通孔を下地材に穿孔し、固定用ボルトを連通した貫通孔及び連通孔に挿入締結させて下地材に取付板を固定したので、屋根パネルの屋根梁への取付け施工時に、簡単且つ確実に所定方向に向けて取付板を屋根パネルに固定することができるのであり、施工性の向上が図られている。
【発明を実施するための最良の形態】
【００１１】
以下、本発明を添付図面に示す実施形態に基いて説明する。本例の屋根パネル１の屋根梁６への取付けは、図１のように取付板４及び引掛けブロック１３を用いて行われており、屋根パネル１の位置決め施工の容易化、及び屋根パネル１の屋根梁６への取付け施工に同時に必要な施工者数を減らして施工の簡略化を図るべく、屋根梁６上に屋根パネル１を仮置きできるようにしたことに特徴を有している。以下、詳述する。
【００１２】
屋根パネル１は、図２のように、下方に開口せる断面リップ付きコ字状の長尺の型枠材からなる垂木状の下地材２を複数本平行に配置し、これら下地材２の上面に合板からなる野地板３を添着させて形成されている。工場出荷時、この屋根パネル１には下地材２の側面に沿わせて取付板４が取付けられている。
【００１３】
取付板４は金属製の矩形状の板材であり、一本の枢支用ボルト５によって下地材２に装着されており、この枢支用ボルト５を緩めたときには取付板４は下地材２に対して上下に回転自在になるようにされている（図４（ａ））。ここで、屋根パネル１の工場出荷時には、図３のように、取付板４全体を下地材２の側面に沿わせた状態で枢支用ボルト５が締められた状態にされている。つまり、取付板４は下地材２より下方に突出させない収納状態にされており、屋根パネル１の倉庫への収納時や搬送時に屋根パネル１同士を積載可能にして利便性が高められている。この取付板４は、上下のフランジ７同士をウェブ８で連結したＩ形鋼やＨ形鋼などの型材から成る屋根梁６への屋根パネル１の仮置きに使用される部材であるが、図４（ａ）のように、屋根パネル１の下地材２から鉛直方向に垂下させて取付板４の下端を下地材２の下方に突出させた状態で使用される。この使用状態の取付板４において、取付板４の下地材２の下方に突出した部位には水上側の端縁から水下側に向けて水平スリット９が切り込んであり、取付板４の下地材２の下方に突出しない部位には貫通孔１０が穿孔されている。また、下地材２の側面には、図３のように、取付板４を鉛直方向に垂下させたとき上記貫通孔１０が連通する連通孔１１が穿孔されており、図４（ｂ）のように、固定用ボルト１２を連通した貫通孔１０及び連通孔１１に挿入締結させることで、鉛直方向に垂下された取付板４を下地材２に固定できるようにされている。つまり、屋根パネル１の屋根梁６への取付け施工時に、取付板４を簡単且つ確実に所定方向に向けて屋根パネル１に固定することが可能にされており、施工性の向上が図られている。
【００１４】
引掛けブロック１３は屋根パネル１の屋根梁６への本固定に用いる部材であり、図１のように、水平板状の引掛け板１４のケラバ方向の一方の側縁から垂直板状の補強板１５を垂下させると共に、引掛け板１４のケラバ方向の他方の側縁から補強板１５よりも丈が短い垂直板状のフランジ板１６を垂下させて形成されている。また、引掛け板１４の水下側の端縁からは水上側に向けて垂直な切込み１７が形成されている。本例の切込み１７は引掛け板１４における水下側且つケラバ方向の他方の側縁の部位を切欠くように形成され、この切込み１７によって引掛け板１４は上面視Ｌ字状に形成されている。ここで、上記ケラバ方向は軒に沿った方向を示し、後述する軒棟方向とは直交した方向関係を有している。
【００１５】
屋根パネル１の屋根梁６への取付けは、図５のように、取付板４を下地材２から垂下させた状態の屋根パネル１をクレーンで引き揚げ（図中１８はクレーンのワイヤーである）、図６のように、屋根勾配に合わせて傾斜させた状態の屋根パネル１を上方且つ水上側から屋根梁６に近接させ（矢印Ｃ）、屋根パネル１の下地材２の下方に突出した取付板４を屋根梁６の上フランジ７ａの水上側に引っ掛けると共に屋根パネル１の下地材２の下面を上フランジ７ａの水下側に載せるようにして屋根パネル１を屋根梁６上に載置する。この取付板４を屋根梁６の水上側に引っ掛けて屋根パネル１を屋根梁６上に載置した状態では、少なくとも軒棟方向の適宜位置に位置合わせがされた状態で屋根パネル１が屋根梁６上に載置された状態になる。つまり、本例では屋根パネル１の適宜位置への位置決め作業は軒棟方向を気にせずにケラバ方向のみを注意して行えばよいものであり、軒棟方向及びケラバ方向の両方向同時の位置合わせが必要とされていた従来技術に比べ、屋根パネル１の適宜位置への位置決め施工の容易化が図られているのである。なお、屋根パネル１に固定された取付板４の屋根梁６への引掛けを伴って屋根梁６上に屋根パネル１を載置した状態では、クレーンでの吊り下げが無くても屋根パネル１の自重によって屋根梁６上に安定載置される仮置き状態になっており、またこのときには、取付板４の水平スリット９が屋根梁６の上フランジ７ａの下面と略同高さ位置に位置している。
【００１６】
このように屋根梁６上に仮置きされた屋根パネル１は、図１，７のように、引掛けブロック１３を用いて屋根梁６に本固定される。この本固定は、引掛けブロック１３を取付板４の水上側から近接させ（図１中矢印Ｄ）、引掛けブロック１３の引掛け板１４の切込み１７を取付板４の水平スリット９に挿入結合させて取付板４に引掛け板１４を略直交するように組み付け、引掛け板１４の水下側の先端上面を屋根梁６の上フランジ７ａの水上側の下面に当接させることで行われる。つまり、下地材２と引掛け板１４とで屋根梁６を上下に挟持したことで屋根パネル１は屋根梁６に固定されるのであり、手間のかかるボルト材の締結作業を必要としない簡単な作業によって本固定を可能にしている。なお、引掛けブロック１３の引掛け板１４の切込み１７を取付板４の水平スリット９に挿入結合させた際には、水平スリット９より下方の取付板４の部位が引掛けブロック１３の補強板１５とフランジ板１６との間に位置し、たとえば地震等何らかの外力がかかって取付板４に組み付けた引掛けブロック１３が水平方向にずれたとしても、上記水平スリット９より下方の取付板４の部位が補強板１５とフランジ板１６との間に留まり、引掛けブロック１３と取付板４との組み付け状態が確実に維持される構造にされている。また、屋根パネル１の下地材２と共に上下に屋根梁６を挟持する引掛けブロック１３の引掛け板１４には上下方向に挟持圧が負荷するのであるが、この引掛け板１４にはその水下側端部から水上側端部に亙って垂直板状の補強板１５が一体に縁出されているから、引掛け板１４の特に上下方向の外力に対する変形防止が図られた構造にされている。
【００１７】
上述したように屋根パネル１の屋根梁６への取付け施工は、まず屋根パネル１を屋根梁６に仮置きし、その後屋根パネル１の屋根梁６への本固定を行うようにされている。屋根パネル１の屋根梁６への仮置き施工は、屋根パネル１をクレーンで引き揚げる施工者と、クレーンで引き揚げた屋根パネル１を適宜位置に位置合わせする屋根梁６に登った施工者とで行われるのであり、また、屋根パネル１の屋根梁６への本固定にかかる施工は、屋根梁６に登った施工者のみで行われる。背景技術で述べた仮置きを経ないで行う屋根パネル１の屋根梁６への取付け施工では、屋根パネル１をクレーンで吊り下げる施工者、屋根パネル１を持って位置決めする施工者及び、屋根パネル１の屋根梁６への固定を行う施工者といった多数の施工者が同時に必要であったのに比べ、本例の屋根パネル１の屋根梁６への取付け施工では上述したように同時に必要な施工者数が減っており、この点においても施工の簡略化が図られているのである。
【図面の簡単な説明】
【００１８】
【図１】本発明の実施の形態の例の仮置きした屋根パネルを屋根梁に本固定する状態を示す斜視図である。
【図２】同上の屋根パネルの斜視図である。
【図３】（ａ）は複数枚の屋根パネルを積載した状態を示す側面図であり、（ｂ）は（ａ）のＡ部拡大図である。
【図４】（ａ）は屋根梁上に配置させる状態の屋根パネルの側面図であり、（ｂ）は（ａ）の状態の屋根パネルの正面断面図である。
【図５】同上の取付板を鉛直方向にして屋根パネルの下地材に固定する施工を説明する側面図である。
【図６】同上の屋根梁に屋根パネルを仮置きした状態の側面図である。
【図７】（ａ）は屋根梁に屋根パネルを本固定した状態の側面図であり、（ｂ）は（ａ）のＢ部の拡大斜視図である。
【図８】従来の屋根パネルの屋根梁への取付構造を示す側面図である。
【符号の説明】
【００１９】
１  屋根パネル
２  下地材
３  野地板
４  取付板
５  枢支用ボルト
６  屋根梁
７  フランジ
７ａ  上フランジ
８  ウェブ
９  水平スリット
１０  貫通孔
１１  連通孔
１２  固定用ボルト
１３  引掛けブロック
１４  引掛け板
１７  切込み
【図１】
2005097921.tif 000003
【図２】
2005097921.tif 000004
【図３】
2005097921.tif 000005
【図４】
2005097921.tif 000006
【図５】
2005097921.tif 000007
【図６】
2005097921.tif 000008
【図７】
2005097921.tif 000009
【図８】
2005097921.tif 000010